(57)【特許請求の範囲】
【請求項１】
フェース面と、
トップ面と、
バック面と、
ソール面と、
を有しており、
上記フェース面に、フェース溝が設けられており、
上記バック面が、上記トップ面のバック側において視認されうる第１輪郭線を有しており、
上記トップ面が、その後方輪郭線としての第２輪郭線を有しており、
平面視における上記第１輪郭線と上記第２輪郭線との距離がＷ１２とされるとき、
上記フェース溝の存在範囲において、上記距離Ｗ１２の変化量が５ｍｍ以下であり、
上記フェース溝の存在範囲において、上記距離Ｗ１２が、トウ側からヒール側に向かうにつれて徐々に減少しており、
上記バック面が、第１表面部を有しており、
上記トップ面が、第２表面部を有しており、
上記平面視において、上記第１表面部が上記第２表面部に隣接しており、
上記第２表面部の表面仕上げが、上記第１表面部の表面仕上げと同じであり、
上記トップ面が、更に第３表面部を有しており、
上記第２表面部が、上記第３表面部のバック側に位置しており、
上記トップ面において、上記第２表面部が、上記第３表面部に隣接しており、
上記第２表面部の表面仕上げが、上記第３表面部の表面仕上げと異なるゴルフクラブヘッド。
【請求項２】
上記第１表面部の表面仕上げが、ミラー仕上げであり、
上記第２表面部の表面仕上げが、ミラー仕上げである請求項１に記載のゴルフクラブヘッド。
【請求項３】
上記第３表面部の表面仕上げが、ショットブラスト仕上げである請求項１又は２に記載のゴルフクラブヘッド。
【請求項４】
上記ソール面が、トウ側凹部と、ヒール側凹部とを有しており、
上記トウ側凹部が、上記ソール面の後方縁に接して設けられており、
上記ヒール側凹部が、上記ソール面の後方縁に接して設けられている請求項１から３のいずれかに記載のゴルフクラブヘッド。
【請求項５】
上記フェース溝のヒール端の位置におけるソール幅がＷｈ１とされ、
上記フェース溝のトウ端の位置におけるソール幅がＷｔ１とされるとき、
ソール幅Ｗｈ１が１８ｍｍ以上２６ｍｍ以下であり、
ソール幅Ｗｔ１が２６ｍｍ以上３６ｍｍ以下であり、
ロフト角が１８度以上３３度以下である請求項１から４のいずれかに記載のゴルフクラブヘッド。
【請求項６】
フェース面と、
トップ面と、
バック面と、
ソール面と、
を有しており、
上記フェース面に、フェース溝が設けられており、
上記バック面が、上記トップ面のバック側において視認されうる第１輪郭線を有しており、
上記トップ面が、その後方輪郭線としての第２輪郭線を有しており、
平面視における上記第１輪郭線と上記第２輪郭線との距離がＷ１２とされるとき、
上記フェース溝の存在範囲において、上記距離Ｗ１２の変化量が５ｍｍ以下であり、
上記距離Ｗ１２が最大値Ｗ１２ｍａｘであるトウ−ヒール方向位置が、上記フェース溝の存在範囲のトウ側２５％以内にあり、
上記フェース溝の存在範囲において、上記距離Ｗ１２の最小値Ｗ１２ｍｉｎが０．５ｍｍ以上であり、
上記バック面が、第１表面部を有しており、
上記トップ面が、第２表面部を有しており、
上記平面視において、上記第１表面部が上記第２表面部に隣接しており、
上記第２表面部の表面仕上げが、上記第１表面部の表面仕上げと同じであり、
上記トップ面が、更に第３表面部を有しており、
上記第２表面部が、上記第３表面部のバック側に位置しており、
上記トップ面において、上記第２表面部が、上記第３表面部に隣接しており、
上記第２表面部の表面仕上げが、上記第３表面部の表面仕上げと異なるゴルフクラブヘッド。
【請求項７】
フェース面と、
トップ面と、
バック面と、
ソール面と、
を有しており、
上記フェース面に、フェース溝が設けられており、
上記バック面が、上記トップ面のバック側において視認されうる第１輪郭線を有しており、
上記トップ面が、その後方輪郭線としての第２輪郭線を有しており、
平面視における上記第１輪郭線と上記第２輪郭線との距離がＷ１２とされるとき、
上記フェース溝の存在範囲において、上記距離Ｗ１２の変化量が２ｍｍ以下であり、
上記バック面が、第１表面部を有しており、
上記トップ面が、第２表面部を有しており、
上記平面視において、上記第１表面部が上記第２表面部に隣接しており、
上記第２表面部の表面仕上げが、上記第１表面部の表面仕上げと同じであり、
上記トップ面が、更に第３表面部を有しており、
上記第２表面部が、上記第３表面部のバック側に位置しており、
上記トップ面において、上記第２表面部が、上記第３表面部に隣接しており、
上記第２表面部の表面仕上げが、上記第３表面部の表面仕上げと異なるゴルフクラブヘッド。
【請求項８】
上記フェース溝の存在範囲において、上記距離Ｗ１２の変化量が１ｍｍ以下である請求項１から７のいずれかに記載のゴルフクラブヘッド。
【発明の詳細な説明】
【技術分野】
【０００１】
本発明は、ゴルフクラブヘッドに関する。
【背景技術】
【０００２】
ゴルフクラブヘッドの重心位置は、性能に影響する。低い重心位置は、大きな打ち出し角に寄与しうる。深い重心位置は、大きな打ち出し角に寄与しうる。低く且つ深い重心位置は、飛距離の増大に寄与しうる。
【０００３】
ヘッドは、ソールを有する。このソールの幅は、重心位置に影響しうる。
【０００４】
特許第３６５８２９３号公報は、ソールの略全体に亘ってソール幅が略等しいアイアンクラブヘッドを開示する。このヘッドでは、ヘッド重心が低くなりうる。このヘッドでは、ヘッド重心がソール寄りに移動されうる。
【先行技術文献】
【特許文献】
【０００５】
【特許文献１】特許第３６５８２９３号公報
【発明の概要】
【発明が解決しようとする課題】
【０００６】
ソール幅の増大により、ヘッド重心の位置が低く且つ深くされうる。しかし、ソール幅の増大は、新たな問題を生じさせうる。
【０００７】
本発明の目的は、ソール幅を広くすることができ、且つフェースを目標方向に向けることが容易なゴルフクラブヘッドの提供にある。
【課題を解決するための手段】
【０００８】
好ましいゴルフクラブヘッドは、フェース面と、トップ面と、バック面と、ソール面と、を有している。上記フェース面に、フェース溝が設けられている。上記バック面は、上記トップ面のバック側において視認されうる第１輪郭線を有している。上記トップ面は、その後方輪郭線としての第２輪郭線を有している。平面視における上記第１輪郭線と上記第２輪郭線との距離がＷ１２とされる。好ましくは、上記フェース溝の存在範囲において、上記距離Ｗ１２の変化量が５ｍｍ以下である。好ましくは、上記フェース溝の存在範囲において、上記距離Ｗ１２が、トウ側からヒール側に向かうにつれて徐々に減少している。
【０００９】
好ましくは、上記バック面は、第１表面部を有している。好ましくは、上記トップ面は、第２表面部を有している。好ましくは、上記平面視において、上記第１表面部が上記第２表面部に隣接している。好ましくは、上記第２表面部の表面仕上げが、上記第１表面部の表面仕上げと同じである。
【００１０】
好ましくは、上記第１表面部の表面仕上げが、ミラー仕上げである。好ましくは、上記第２表面部の表面仕上げが、ミラー仕上げである。
【００１１】
好ましくは、上記トップ面は、更に第３表面部を有している。好ましくは、上記第２表面部は、上記第３表面部のバック側に位置している。好ましくは、上記トップ面において、上記第２表面部が、上記第３表面部に隣接している。好ましくは、上記第２表面部の表面仕上げは、上記第３表面部の表面仕上げと異なる。
【００１２】
好ましくは、上記第３表面部の表面仕上げは、ショットブラスト仕上げである。
【００１３】
好ましくは、上記ソール面が、トウ側凹部と、ヒール側凹部とを有している。好ましくは、上記トウ側凹部が、上記ソール面の後方縁に接して設けられている。好ましくは、上記ヒール側凹部が、上記ソール面の後方縁に接して設けられている。
【００１４】
上記フェース溝のヒール端の位置におけるソール幅がＷｈ１とされる。上記フェース溝のトウ端の位置におけるソール幅がＷｔ１とされる。好ましくは、ソール幅Ｗｈ１が１８ｍｍ以上２６ｍｍ以下である。好ましくは、ソール幅Ｗｔ１が２６ｍｍ以上３６ｍｍ以下である。好ましくは、上記ヘッドのロフト角は、１８度以上３３度以下である。
【００１５】
他の好ましいヘッドは、フェース面と、トップ面と、バック面と、ソール面と、を有している。上記フェース面に、フェース溝が設けられている。上記バック面が、上記トップ面のバック側において視認されうる第１輪郭線を有している。上記トップ面が、その後方輪郭線としての第２輪郭線を有している。平面視における上記第１輪郭線と上記第２輪郭線との距離がＷ１２とされる。好ましくは、上記フェース溝の存在範囲において、上記距離Ｗ１２の変化量が５ｍｍ以下である。好ましくは、上記距離Ｗ１２が最大値Ｗ１２ｍａｘであるトウ−ヒール方向位置が、上記フェース溝の存在範囲のトウ側２５％以内にある。好ましくは、上記フェース溝の存在範囲において、上記距離Ｗ１２の最小値Ｗ１２ｍｉｎが０．５ｍｍ以上である。
【００１６】
更に他の好ましいヘッドは、フェース面と、トップ面と、バック面と、ソール面と、を有している。上記フェース面に、フェース溝が設けられている。上記バック面が、上記トップ面のバック側において視認されうる第１輪郭線を有している。上記トップ面が、その後方輪郭線としての第２輪郭線を有している。平面視における上記第１輪郭線と上記第２輪郭線との距離がＷ１２とされる。好ましくは、上記フェース溝の存在範囲において、上記距離Ｗ１２の変化量が２ｍｍ以下である。
【００１７】
好ましくは、上記フェース溝の存在範囲において、上記距離Ｗ１２の変化量が１ｍｍ以下である。
【発明の効果】
【００１８】
ソール幅が広くされても、フェースを目標方向に向けることが容易とされうる。
【図面の簡単な説明】
【００１９】
【図１】図１は、第１実施形態に係るゴルフクラブの全体図である。
【図２】図２は、第１実施形態に係るゴルフクラブヘッドをフェース側から視た斜視図である。
【図３】図３は、図２のヘッドの背面図である。
【図４】図４は、図２のヘッドの底面図である。
【図５】図５は、図３のＦ３−Ｆ３線に沿った断面図である。
【図６】図６は、図２のヘッドの平面図である。
【図７】図７は、第２実施形態に係るヘッドの平面図である。
【図８】図８は、第２実施形態に係るヘッドの平面図である。図８では、ブラスト仕上げが施された部分がドットで示されている。
【図９】図９は、第３実施形態に係るヘッドの平面図である。
【図１０】図１０は、第３実施形態に係るヘッドの平面図である。図１０では、ブラスト仕上げが施された部分がドットで示されている。
【図１１】図１１は、第４実施形態に係るヘッドの平面図である。
【図１２】図１２は、比較例に係るヘッドの平面図である。
【発明を実施するための形態】
【００２０】
以下、適宜図面が参照されつつ、好ましい実施形態に基づいて本発明が詳細に説明される。
【００２１】
図１は、第１実施形態に係るゴルフクラブ２を示す。ゴルフクラブ２は、ヘッド４、シャフト６、グリップ８及びフェラル１０を有する。シャフト６は、チップ端Ｔｐ及びバット端Ｂｔを有する。ヘッド４は、シャフト６のチップ部分に取り付けられている。グリップ８は、シャフト６のバット部分に取り付けられている。ゴルフクラブ２において、チップ端Ｔｐはヘッド４の内部に位置する。ゴルフクラブ２において、バット端Ｂｔはグリップ８の内部の位置する。なお、図５、図６等では、フェース溝の記載が省略されている。
【００２２】
ゴルフクラブ２は、アイアン型ゴルフクラブである。ゴルフクラブ２は、５番アイアンである。
【００２３】
図２は、ヘッド４の正面図である。図３は、ヘッド４の背面図である。図４は、ヘッド４の底面図である。図５は、図３のＦ５−Ｆ５線に沿った断面図である。図６は、ヘッド４の平面図である。
【００２４】
ヘッド４の構造に着目すると、ヘッド４は、ヘッド本体１２と、フェース部材１４とを有する。ヘッド本体１２は、フェース開口１６と、ソール凹部１８と、トップブレード１９と、ホーゼル２０とを有する。フェース部材１４は、プレートである。このフェース部材１４が、フェース開口１６に嵌め込まれている。フェース部材１４は、フェース面の一部を構成している。ホーゼル２０の形状は、円筒である。
【００２５】
ソール凹部１８には、ウェイト２２が配置されている。このウェイト２２は、ソール面の一部を構成している。ウェイト２２は、ヘッド４の重心位置を下げるのに寄与している。
【００２６】
ホーゼル２０には、シャフト孔２４が設けられている。シャフト孔２４の軸線は、シャフト６の軸線に一致している。
【００２７】
図２が示すように、ヘッド４は、フェース溝ｇｖを有する。複数のフェース溝ｇｖが設けられている。これらのフェース溝ｇｖは、フェース部材１４に設けられている。
【００２８】
ヘッド４は、アイアン型ヘッドである。ヘッド４は、キャビティバックアイアンである。バックキャビティの底面は、フェース部材１４によって構成されている。
【００２９】
ヘッド４の表面に着目すると、ヘッド４は、フェース面ｆ１と、バック面ｂ１と、トップ面ｔ１と、ソール面ｓ１とを有する。フェース面ｆ１に、フェース溝ｇｖが設けられている。フェース溝ｇｖを除き、フェース面ｆ１は平面である。トップ面ｔ１は、フェース面ｆ１とバック面ｂ１とを繋いでいる。ソール面ｓ１、バック面ｂ１及びトップ面ｔ１の詳細は、後述される。
【００３０】
フェース面ｆ１の一部には、ショットブラスト仕上げが施されている。図２において、区域ＳＢ１が示されている。この区域ＳＢ１に、ショットブラスト仕上げが施されている。区域ＳＢ１は、トウ−ヒール方向の区域である。このショットブラスト仕上げは、フェース溝ｇｖの存在範囲ＧＶ１の全体をカバーしている。このショットブラスト仕上げは、バックスピン速度を高めうる。
【００３１】
［用語の定義］
本願において、以下の用語が定義される。
【００３２】
［基準状態］
この基準状態とは、規定のライ角及びリアルロフト角で、水平面ＨＰ１上にヘッド４が載置された状態である。図３及び図５は、基準状態にあるヘッド４を示している。規定のライ角及びリアルロフト角は、例えば、製品のカタログに掲載されている。
【００３３】
この基準状態では、シャフト孔２４の軸線Ｚ１が、水平面ＨＰ１に対して垂直な平面（図示されず）に含まれる。この平面は、基準垂直面と称される。
【００３４】
［トウ−ヒール方向］
上記水平面ＨＰ１と上記基準垂直面との交線の方向が、トウ−ヒール方向と定義される。「トウ側」及び「ヒール側」は、このトウ−ヒール方向に基づいて判断される。
【００３５】
［フェース−バック方向］
上記トウ−ヒール方向に垂直であり、且つ上記水平面ＨＰ１に平行な方向が、フェース−バック方向と定義される。「フェース側」及び「バック側」は、このフェース−バック方向に基づいて判断される。
【００３６】
［上下方向］
上記水平面ＨＰ１に垂直な方向が、上下方向と定義される。換言すれば、フェース−バック方向に垂直であり且つトウ−ヒール方向に垂直な方向が、上下方向である。「上側」及び「下側」は、この上下方向に基づいて判断される。
【００３７】
［第１投影面］
上記水平面ＨＰ１が、第１投影面と定義される。
【００３８】
［第２投影面］
ヘッド４の上方に位置し、且つ上記水平面ＨＰ１に平行な平面が、第２投影面と定義される。図５において、この第２投影面ＨＰ２が、二点鎖線で示されている。
【００３９】
［第３投影面］
ヘッド４の後方に位置し、上記トウ−ヒール方向に平行であり、且つ上記水平面ＨＰ１に垂直な平面が、第３投影面と定義される。図５において、この第３投影面ＨＰ３が、二点鎖線で示されている。
【００４０】
［平面視］
上記基準状態にあるヘッド４が、上記第２投影面ＨＰ２に投影される。この第２投影面ＨＰ２における投影像が、平面視と定義される。この投影の方向は、水平面ＨＰ１に垂直な方向である。
【００４１】
図６は、上記平面視を示している。
【００４２】
［底面視］
上記基準状態にあるヘッド４が、上記第１投影面ＨＰ１に投影される。この第１投影面ＨＰ１における投影像が、底面視と定義される。この投影の方向は、水平面ＨＰ１に垂直な方向である。
【００４３】
図４は、上記底面視を示している。
【００４４】
［背面視］
上記基準状態にあるヘッド４が、上記第３投影面ＨＰ３に投影される。この第３投影面ＨＰ３における投影像が、背面視と定義される。この投影の方向は、投影面ＨＰ３に垂直な方向である。
【００４５】
図３は、背面視におけるヘッド４を示している。
【００４６】
［ソール幅］
上記底面視におけるヘッド４の幅が、ソール幅と定義される。
【００４７】
［トップ面］
ヘッド４の上面が、トップ面ｔ１である。トップブレード１９の表面は、トップ面ｔ１である。なお、ホーゼル２０の表面は、トップ面ｔ１から除外される。
【００４８】
［ソール面］  
ヘッド４の下面が、ソール面ｓ１である。なお、ホーゼル２０の表面は、ソール面ｓ１から除外される。
【００４９】
［バック面］
ヘッド４の背面が、バック面ｂ１である。なお、ホーゼル２０の表面は、バック面ｂ１から除外される。バック面ｂ１は、図３に示されている。ただし、上記ソール面ｓ１は、バック面ｂ１から除外される。上記トップ面ｔ１も、バック面ｂ１から除外される。  
【００５０】
［第１輪郭線］
上記平面視において、上記バック面ｂ１の輪郭線が視認されうる。上記平面視において視認されうるバック面ｂ１の輪郭線が、第１輪郭線ＢＬ１である（図６及び図５参照）。この第１輪郭線ＢＬ１は、上記平面視における輪郭線である。第１輪郭線ＢＬ１は、上記トップ面ｔ１のバック側に位置する。第１輪郭線ＢＬ１は、ヘッド４において最もバック側に位置する点の集合である。本実施形態において、第１輪郭線ＢＬ１は、トレーリングエッジを含む。
【００５１】
［第２輪郭線］
上記トップ面ｔ１の後方輪郭線が、第２輪郭線ＢＬ２である（図６及び図５参照）。この第２輪郭線ＢＬ２は、上記平面視における輪郭線である。
【００５２】
［距離Ｗ１２］
第１輪郭線ＢＬ１と上記第１輪郭線と上記第２輪郭線との間の距離が、Ｗ１２である。距離Ｗ１２は、フェース−バック方向に沿って測定される。距離Ｗ１２は、上記平面視において測定される。距離Ｗ１２は、トウ−ヒール方向におけるあらゆる位置で測定される。この距離Ｗ１２が、図５及び図６において両矢印で示されている。
【００５３】
図６が示すように、距離Ｗ１２が存在する領域は、区域ＳＢ１の全体に亘っている。更に、距離Ｗ１２が存在する領域は、区域ＳＢ１のトウ側にも及んでいる。更に、距離Ｗ１２が存在する領域は、区域ＳＢ１のヒール側にも及んでいる。
【００５４】
第１輪郭線ＢＬ１は、特定点Ｈｂ１を有する（図６参照）。区域ＳＢ１よりもヒール側において、距離Ｗ１２は、特定点Ｈｂ１に近づくにつれて徐々に小さくなっている。特定点Ｈｂ１において、距離Ｗ１２はゼロとなる。第１輪郭線ＢＬ１は、特定点Ｈｂ１よりもヒール側に及んでいる。特定点Ｈｂ１よりもヒール側の第１輪郭線ＢＬ１は、区域ＳＢ１に位置する第１輪郭線ＢＬ１と、滑らかに繋がっている。
【００５５】
［フェース溝のヒール端の位置Ｐｈ］
全てのフェース溝ｇｖを考慮し、フェース溝ｇｖのヒール端の位置Ｐｈが決定される。この位置Ｐｈが、図２に示されている。この位置Ｐｈは、トウ−ヒール方向における位置である。
【００５６】
［フェース溝のトウ端の位置Ｐｔ］
全てのフェース溝ｇｖを考慮し、フェース溝ｇｖのトウ端の位置Ｐｔが決定される。この位置Ｐｔが、図２に示されている。この位置Ｐｔは、トウ−ヒール方向における位置である。
【００５７】
［フェース溝の存在範囲］
上記位置Ｐｔから位置Ｐｈまでの範囲が、フェース溝ｇｖの存在範囲ＧＶ１である。この存在範囲ＧＶ１は、トウ−ヒール方向での範囲である。この存在範囲ＧＶ１が、図２に示されている。この存在範囲ＧＶ１は、最も長いフェース溝ｇｖの存在範囲に等しい。
【００５８】
［第１輪郭線ＢＬ１及び第２輪郭線ＢＬ２］  
【００５９】
平面視のヘッド４において、第１輪郭線ＢＬ１が視認される。三次元的には、第１輪郭線ＢＬ１と第２輪郭線ＢＬ２とは、上下方向に離れている。三次元的には、第１輪郭線ＢＬ１は第２輪郭線ＢＬ２よりも下側に位置する。バック面ｂ１は、第１輪郭線ＢＬ１と第２輪郭線ＢＬ２との間に位置する不可視領域を有する。この不可視領域は、上記平面視において視認されない領域である。
【００６０】
平面視では、第１輪郭線ＢＬ１は、第２輪郭線ＢＬ２に近接している。平面視では、第１輪郭線ＢＬ１は、第２輪郭線ＢＬ２に略沿った線である。平面視において、第１輪郭線ＢＬ１は、第２輪郭線ＢＬ２に対して、おおよそ平行である。
【００６１】
平面視は、アドレスの際にゴルファーによって視認されるヘッド４の像に略等しい。アドレスにおいて、ゴルファーは、フェース面ｆ１を目標方向に向けてセットする。この行為が、フェースセッティングとも称される。フェースセッティングが正確であれば、目標方向に飛ぶ確率が高まる。フェースセッティングが不正確であれば、目標方向に飛ぶ確率が低下する。フェースセッティングがアドレス毎にバラつく場合、打球の方向が不安定となりうる。フェースセッティングの正確性は、打球結果に影響を与える。
【００６２】
第２輪郭線ＢＬ２は、アドレスの際に視認されうる。第２輪郭線ＢＬ２は、フェースセッティングに影響しうる。第２輪郭線ＢＬ２の形態が、フェースセッティングの精度に影響しうる。第１輪郭線ＢＬ１に略沿った第２輪郭線ＢＬ２は、フェースセッティングの精度を高めうる。
【００６３】
上記フェース溝ｇｖの存在範囲ＧＶ１において、上記距離Ｗ１２が、トウ側からヒール側に向かうにつれて徐々に減少している。この場合、フェースセッティングの精度が高まる。
【００６４】
図６が示すように、上記範囲ＧＶ１のあらゆる位置において、第１輪郭線ＢＬ１が視認される。上記範囲ＧＶ１のあらゆる位置において、距離Ｗ１２が存在する。上記範囲ＧＶ１のあらゆる位置において、距離Ｗ１２が０ｍｍより大きい。
【００６５】
フェース溝ｇｖの存在範囲ＧＶ１において、上記距離Ｗ１２の変化量Ｖｘが考慮される。存在範囲ＧＶ１における距離Ｗ１２の最大値が、Ｗ１２ｍａｘとされる。存在範囲ＧＶ１における距離Ｗ１２の最小値が、Ｗ１２ｍｉｎとされる。上記変化量Ｖｘは、Ｗ１２ｍａｘとＷ１２ｍｉｎとの差である。即ち、上記変化量Ｖｘは、差（Ｗ１２ｍａｘ−Ｗ１２ｍｉｎ）である。
【００６６】
フェースセッティングの精度を高める観点から、上記変化量Ｖｘは、５ｍｍ以下が好ましく、４ｍｍ以下がより好ましく、３ｍｍ以下がより好ましく、２ｍｍ以下がより好ましく、１．５ｍｍ以下がより好ましく、１ｍｍ以下がより好ましい。
【００６７】
上記変化量Ｖｘは、０ｍｍであってもよい。上記変化量Ｖｘは、０ｍｍより大きくてもよい。
【００６８】
図６が示すように、第１輪郭線ＢＬ１は、全体として、後方に向かって凸の曲線である。図６が示すように、第１輪郭線ＢＬ１は、全体として滑らかな曲線である。第１輪郭線ＢＬ１は、段差無く連続している。第１輪郭線ＢＬ１は、凹部を有しない。この第１輪郭線ＢＬ１の形状は、フェースセッティングの精度を高めうる。
【００６９】
図７は、第２実施形態に係るヘッド３０の平面図である。この図７も、上記平面視である。図８も、ヘッド３０の平面図である。図８では、ショットブラスト仕上げが施された部分が、ドットで示されている。
【００７０】
ヘッド３０の形状は、ヘッド４と同じである。ヘッド３０とヘッド４との相違は、トップ面ｔ１の表面仕上げのみである。
【００７１】
バック面ｂ１は、第１表面部ＳＦ１を有している。上記平面視において、第１表面部ＳＦ１は、トップ面ｔ１の後方に位置する。
【００７２】
トップ面ｔ１は、第２表面部ＳＦ２を有している。上記平面視において、第１表面部ＳＦ１は、第２表面部ＳＦ２に隣接している。第２表面部ＳＦ２の表面仕上げは、第１表面部ＳＦ１の表面仕上げと同じである。
【００７３】
トップ面ｔ１の全体が、第２表面部ＳＦ２であってもよい。
【００７４】
ヘッド３０では、トップ面ｔ１の全体が第２表面部ＳＦ２ではない。ヘッド３０では、トップ面ｔ１の一部が、第２表面部ＳＦ２である。
【００７５】
トップ面ｔ１は、第２表面部ＳＦ２に加えて、第３表面部ＳＦ３を有している。第３表面部ＳＦ３は、第２表面部ＳＦ２に隣接している。第２表面部ＳＦ２は、第３表面部ＳＦ３のバック側に位置している。トップ面ｔ１において、第２表面部ＳＦ２は、第３表面部ＳＦ３に隣接している。
【００７６】
トップ面ｔ１において、第３表面部ＳＦ３のバック側は、第２表面部ＳＦ２のみで占められている。
【００７７】
フェース溝ｇｖの存在範囲ＧＶ１の全体に亘って、第３表面部ＳＦ３が設けられている。
【００７８】
第２表面部ＳＦ２の表面仕上げは、第３表面部ＳＦ３の表面仕上げと異なる。図７において符号ＢＬ３で示されるのは、第２表面部ＳＦ２と第３表面部ＳＦ３との境界線である。表面仕上げの相違に起因して、この境界線ＢＬ３が視認される。
【００７９】
第１表面部ＳＦ１の表面仕上げが、ミラー仕上げである。第２表面部ＳＦ２の表面仕上げは、ミラー仕上げである。第３表面部ＳＦ３の表面仕上げは、ショットブラスト仕上げである。
【００８０】
上述の通り、フェース面ｆ１は、ショットブラスト仕上げが施された区域ＳＢ１を有する。図８に示される通り、区域ＳＢ１のトウ−ヒール方向範囲は、第３表面部ＳＦ３のトウ−ヒール方向範囲に等しい。この構成は、フェースセッティングの精度を高めうる。
【００８１】
図７及び図８において符号ＢＬ４で示されるのは、上記平面視におけるフェース面ｆ１の後方輪郭線である。輪郭線ＢＬ４は、トップ面ｔ１の前方輪郭線でもある。上記平面視において、区域ＳＢ１は、第３表面部ＳＦ３に隣接している。平面視において、輪郭線ＢＬ４は、区域ＳＢ１と第３表面部ＳＦ３との境界である。
【００８２】
［表面仕上げに基づく効果］
上述の通り、第１表面部ＳＦ１の表面仕上げは、第２表面部ＳＦ２の表面仕上げと同じである。第１表面部ＳＦ１と第２表面部ＳＦ２との間で、視覚的な近似性が高い。第１表面部ＳＦ１と第２表面部ＳＦ２とは、同一視されやすい。このため、平面視において、トップ面ｔ１の幅Ｗｔが小さく見える。ゴルファーは、第３表面部ＳＦ３の幅３４を、トップ面ｔ１の幅Ｗｔと錯覚しやすい（視覚的効果Ａ）。
【００８３】
上記視覚的効果Ａに起因して、トップブレード１９が薄く見える。トップブレード１９が薄く見えるヘッドでは、フェース面ｆ１の向きが把握されやすい。トップブレード１９が薄く見えるヘッドでは、フェースセッティングが行いやすい。上記視覚的効果Ａに起因して、フェースセッティングの精度が向上しうる。
【００８４】
フェース溝ｇｖの存在範囲ＧＶ１の全体において、第２表面部ＳＦ２の表面仕上げは、第１表面部ＳＦ１の表面仕上げに等しい。よって、上記視覚的効果Ａが高められている。
【００８５】
第３表面部ＳＦ３の表面仕上げは、フェース面ｆ１の上記区域ＳＢ１の表面仕上げと同じである。第３表面部ＳＦ３と区域ＳＢ１との間で、視覚的な近似性が高い。第３表面部ＳＦ３と区域ＳＢ１とは、一体的に視認されやすい。この一体性に起因して、フェース面ｆ１が広く見える。更に、この一体性に起因して、ロフト角が大きいように見える。更に、アドレスにおいて、インパクトエリアが容易に認識されうる。これらの見え方は、ゴルファーに安心感を与えうる。この安心感は、ナイスショットの確率を高めうる（視覚的効果Ｂ）。
【００８６】
フェース溝ｇｖの存在範囲ＧＶ１の全体において、第３表面部ＳＦ３の表面仕上げは、上記区域ＳＢ１の表面仕上げに等しい。よって、上記視覚的効果Ｂが高められている。
【００８７】
図８において両矢印Ｗｔで示されるのは、トップ面ｔ１の幅である。この幅Ｗｔは、第２輪郭線ＢＬ２と輪郭線ＢＬ４との間の距離である。この幅Ｗｔは、上記平面視において測定される。この幅Ｗｔは、フェース−バック方向に沿って測定される。
【００８８】
［トップ面ｔ１の幅Ｗｔ］
上述した視覚的効果Ａは、幅Ｗｔが大きい場合に、効果的である。この観点から、幅Ｗｔは、４ｍｍ以上が好ましく、５ｍｍ以上がより好ましく、６ｍｍ以上がより好ましい。ヘッドの重心を下げる観点から、幅Ｗｔは、１３ｍｍ以下が好ましく、１２ｍｍ以下がより好ましく、１１ｍｍ以下がより好ましい。
【００８９】
［幅Ｗ２３の変化量Ｖｙ］
図８において両矢印Ｗ２３で示されるのは、第２表面部ＳＦ２の幅である。この幅２３は、第２輪郭線ＢＬ２と境界線ＢＬ３との間の距離である。この幅Ｗ２３は、上記平面視において測定される。この幅Ｗ２３は、フェース−バック方向に沿って測定される。この幅Ｗ２３は、トウ−ヒール方向のあらゆる位置で測定されうる。
【００９０】
フェースセッティングの精度の観点から、第２表面部ＳＦ２の幅Ｗ２３の変化量Ｖｙは、小さいのが好ましい。この観点から、上記存在範囲ＧＶ１における上記変化量Ｖｙは、２ｍｍ以下が好ましく、１ｍｍ以下がより好ましい。変化量Ｖｙは、０ｍｍであってもよい。
【００９１】
［幅Ｗ３４の変化量Ｖｚ］
図８において両矢印Ｗ３４で示されるのは、第３表面部ＳＦ３の幅である。この幅３４は、境界線ＢＬ３と輪郭線ＢＬ４との間の距離である。この幅Ｗ３４は、上記平面視において測定される。この幅Ｗ３４は、フェース−バック方向に沿って測定される。この幅Ｗ３４は、トウ−ヒール方向のあらゆる位置で測定されうる。
【００９２】
フェースセッティングの精度の観点から、幅Ｗ３４の変化量Ｖｚは、小さいのが好ましい。この観点から、上記存在範囲ＧＶ１における上記変化量Ｖｚは、２ｍｍ以下が好ましく、１ｍｍ以下がより好ましい。変化量Ｖｚは、０ｍｍであってもよい。
【００９３】
［Ｗ２３／Ｗｔ］
上記視覚的効果Ａの観点から、上記幅Ｗ２３と幅Ｗｔとの間の比率が考慮されるのが好ましい。上記視覚的効果Ａの観点から、比（Ｗ２３／Ｗｔ）は、０．１以上が好ましく、０．１５以上がより好ましく、０．２以上がより好ましい。比（Ｗ２３／Ｗｔ）が過大である場合、トップ面ｔ１が見えにくいことがある。この場合、フェースセッティングの精度が低下しうる。この観点から、比（Ｗ２３／Ｗｔ）は、０．７以下が好ましく、０．６以下がより好ましく、０．５以下がより好ましい。
【００９４】
図４が示すように、ヘッド４は、トウ側凹部ｒｔ１と、ヒール側凹部ｒｈ１とを有する。トウ側凹部ｒｔ１は、ソール面ｓ１に設けられている。トウ側凹部ｒｔ１は、ソール面ｓ１のトウ側に設けられている。トウ側凹部ｒｔ１のトウ−ヒール方向における存在範囲は、フェース溝ｇｖのトウ端の位置Ｐｔを含む。ヒール側凹部ｒｈ１は、ソール面ｓ１に設けられている。ヒール側凹部ｒｈ１は、ソール面ｓ１のヒール側に設けられている。ヒール側凹部ｒｈ１のトウ−ヒール方向における存在範囲は、フェース溝ｇｖのヒール端の位置Ｐｈを含む。
【００９５】
トウ側凹部ｒｔ１は、ソール面ｓ１の後方縁に接して設けられている。上記底面視において、トウ側凹部ｒｔ１の後方輪郭線は、第１輪郭線ＢＬ１に一致している。トウ側凹部ｒｔ１は、第２輪郭線ＢＬ２よりもバック側に位置する部分を含む。
【００９６】
ヒール側凹部ｒｈ１は、ソール面ｓ１の後方縁に接して設けられている。上記底面視において、ヒール側凹部ｒｈ１の後方輪郭線は、第１輪郭線ＢＬ１に一致している。ヒール側凹部ｒｈ１は、第２輪郭線ＢＬ２よりもバック側に位置する部分を含む。
【００９７】
ソール面ｓ１において、ヒール側凹部ｒｈ１とトウ側凹部ｒｔ１との間に、凹部は存在しない。
【００９８】
前述のとおり、第１輪郭線ＢＬ１は、全体として、凹部を有さない。トウ側凹部ｒｔ１は、第１輪郭線ＢＬ１の形状に影響していない。ヒール側凹部ｒｈ１は、第１輪郭線ＢＬ１の形状に影響していない。
【００９９】
トウ側凹部ｒｔ１は、インパクトにおける接地面積を低減させうる。トウ側凹部ｒｔ１は、接地抵抗を低下させうる。よって、トウ側凹部ｒｔ１は、飛距離の増加に寄与しうる。
【０１００】
トウ側凹部ｒｔ１は、第１輪郭線ＢＬ１の形状に影響することなく、接地抵抗を低下させうる。トウ側凹部ｒｔ１は、フェースセッティングの精度を維持しつつ、接地抵抗を低下させうる。
【０１０１】
ヒール側凹部ｒｈ１は、インパクトにおける接地面積を低減させうる。ヒール側凹部ｒｈ１は、接地抵抗を低下させうる。よって、ヒール側凹部ｒｈ１は、飛距離の増加に寄与しうる。
【０１０２】
ヒール側凹部ｒｈ１は、第１輪郭線ＢＬ１の形状に影響することなく、接地抵抗を低下させうる。ヒール側凹部ｒｈ１は、フェースセッティングの精度を維持しつつ、接地抵抗を低下させうる。
【０１０３】
トウ側凹部ｒｔ１とヒール側凹部ｒｈ１とにより、トウ側及びヒール側で、接地抵抗が低下しうる。ソール幅が大きい場合、トウ側又はヒール側において接地抵抗が大きくなりうる。トウ側での接地抵抗が大きい場合、フェース面の向きが変化しやすい。ヒール側での接地抵抗が大きい場合も、フェース面の向きが変化しやすい。トウ側凹部ｒｔ１及びヒール側凹部ｒｈ１は、接地抵抗に起因するフェース面ｆ１の向きの変化を、抑制しうる。よって、打球の方向が安定しうる（効果Ｃ）。この効果Ｃは、前述した視覚的効果Ａと相乗しうる。上記視覚的効果Ａと効果Ｃとにより、打球が目標方向に飛ぶ確率が向上しうる。
【０１０４】
図９は、第３実施形態に係るヘッド４０の平面図である。図１０も、第３実施形態に係るヘッド４０の平面図である。図１０では、ブラスト仕上げが施された部分がドットで示されている。これら図９及び図１０も、上記平面視である。平面視において、このヘッド４０は、第１輪郭線ＢＬ１及び第２輪郭線ＢＬ２を有する。図９及び図１０では、フェース溝ｇｖの記載が省略されている。
【０１０５】
ヘッド４０とヘッド４との相違は、第１輪郭線ＢＬ１の形状のみである。このヘッド４０では、上記変化量Ｖｘが、５ｍｍ以下である。
【０１０６】
上記フェース溝ｇｖの存在範囲ＧＶ１において、上記距離Ｗ１２が、トウ側からヒール側に向かうにつれて徐々に減少している。よって、フェースセッティングの精度が高まる。
【０１０７】
平面視において、フェース面ｆ１全体のフェース−バック方向幅は、ヒール側に近づくほど小さい傾向にある。ヘッド４０における第１輪郭線ＢＬ１の配向は、このフェース面ｆ１全体のイメージに近い。このため、このヘッド４０の構成においても、フェースセッティングの精度が向上しうる。
【０１０８】
図９が示すように、第１輪郭線ＢＬ１は、全体として滑らかな曲線である。第１輪郭線ＢＬ１は、段差無く連続している。第１輪郭線ＢＬ１は、全体として、後方に向かって凸の曲線である。第１輪郭線ＢＬ１は、凹部を有しない。この第１輪郭線ＢＬ１の形状は、フェースセッティングの精度を高めうる。
【０１０９】
図１１は、第４実施形態に係るヘッド５０の平面図である。この図１１も、上記平面視である。この平面視において、このヘッド５０は、第１輪郭線ＢＬ１及び第２輪郭線ＢＬ２を有する。図１１では、フェース溝ｇｖの記載が省略されている。
【０１１０】
ヘッド５０とヘッド４との相違は、第１輪郭線ＢＬ１の形状のみである。このヘッド４０では、上記変化量Ｖｘが、５ｍｍ以下である。
【０１１１】
図１１では、位置Ｔ２５が示されている。位置Ｔ２５は、トウ−ヒール方向における位置である。上記範囲ＧＶ１のトウ−ヒール方向幅がＷＧとされる。位置Ｔ２５から上記位置Ｐｔまでのトウ−ヒール方向距離がＷＰとされる。比（ＷＰ／ＷＧ）は、０．２５である。
【０１１２】
Ｗ１２が最大値Ｗ１２ｍａｘであるトウ−ヒール方向位置は、上記位置Ｔ２５から上記位置Ｐｔまでの範囲にある。換言すれば、ヘッド５０は、次の（ａ）を満たす。
（ａ）距離Ｗ１２が最大値Ｗ１２ｍａｘであるトウ−ヒール方向位置が、上記フェース溝の存在範囲のトウ側２５％以内にある。
【０１１３】
なお、上述したヘッド４、ヘッド３０及びヘッド４０も、上記（ａ）を満たしている。
【０１１４】
上記範囲ＧＶ１において、上記距離Ｗ１２の最小値Ｗ１２ｍｉｎは、０．５ｍｍ以上である。
【０１１５】
図４において両矢印Ｗｈ１で示されているのは、位置Ｐｈにおけるソール幅である。位置Ｐｈは、フェース溝ｇｖのヒール端の位置である。位置Ｐｈは、トウ−ヒール方向の位置である。このソール幅Ｗｈ１は、上記底面視において決定される。この底面視での輪郭線が、ソール面ｓ１の輪郭線と見なされる。ソール面ｓ１の輪郭線に基づいて、ソール幅Ｗｈ１が決定される（図４参照）。
【０１１６】
図４において両矢印Ｗｔ１で示されているのは、位置Ｐｔにおけるソール幅である。位置Ｐｔは、フェース溝ｇｖのトウ端の位置である。位置Ｐｔは、トウ−ヒール方向の位置である。このソール幅Ｗｔ１は、上記底面視において決定される。ソール面ｓ１の輪郭線に基づいて、ソール幅Ｗｔ１が決定される（図４参照）。
【０１１７】
平面視において第１輪郭線ＢＬ１が視認されるヘッドでは、ソール幅が大きい。この大きなソール幅は、ヘッドの重心位置を低くする。この大きなソール幅は、ヘッドの重心位置を深くする。低く且つ深い重心は、打ち出し角を高める。低く且つ深い重心は、飛距離の増大に寄与しうる。
【０１１８】
重心位置の観点から、ソール幅Ｗｈ１は、１８ｍｍ以上が好ましく、１９ｍｍ以上がより好ましく、２０ｍｍ以上がより好ましい。ヘッド重量の制約を考慮すると、ソール幅Ｗｈ１は、２６ｍｍ以下が好ましく、２５ｍｍ以下がより好ましく、２４ｍｍ以下がより好ましい。
【０１１９】
重心位置の観点から、ソール幅Ｗｔ１は、２６ｍｍ以上が好ましく、２７ｍｍ以上がより好ましく、２８ｍｍ以上がより好ましく、２９ｍｍ以上がより好ましい。ヘッド重量の制約を考慮すると、ソール幅Ｗｔ１は、３６ｍｍ以下が好ましく、３５ｍｍ以下がより好ましく、３４ｍｍ以下がより好ましく、３３ｍｍ以下がより好ましい。
【０１２０】
［表面仕上げ］
上記表面仕上げとして、ミラー仕上げ、ショットブラスト仕上げ、サテン仕上げ、ヘアライン仕上げ及び塗装が例示される。表面仕上げは、例えば、金属素材の表面に施される。表面仕上げは、例えば、メッキ層の表面に施される。
【０１２１】
ミラー仕上げは、ミラーに似た光沢を有する。好ましくは、ミラー仕上げは、十点平均粗さＲｚが５００ｎｍ以下の仕上げと定義される。より好ましくは、ミラー仕上げは、十点平均粗さＲｚが３５０ｎｍ以下の仕上げと定義される。より好ましくは、ミラー仕上げは、十点平均粗さＲｚが２００ｎｍ以下の仕上げと定義される。
【０１２２】
ショットブラストは、単にブラストとも称される。ショットブラストは、投射材と呼ばれる粒体をワークに衝突させる加工である。ショットブラストは、サンドブラストを含む。ショットブラストは、ショットピーニングを含む。投射材は、限定されない。投射材として、非金属系投射材及び金属系投射材が挙げられる。非金属系投射材の例として、珪砂、アルミナ、ガラスビーズ、セラミックビーズ及びプラスチックが挙げられる。
【０１２３】
好ましくは、ショットブラスト仕上げされた表面の十点平均粗さＲｚは、１．５μｍ以上１２０μｍ以下である。
【０１２４】
十点平均粗さＲｚは、ＪＩＳ  Ｂ０６０１−１９９４に準拠して測定される。この粗さＲｚは、トウ−ヒール方向に沿った走査によって測定される。６箇所での測定値の平均値が、粗さＲｚである。
【０１２５】
本願において、「表面仕上げが同じ」とは、表面仕上げの種類が同じである場合を含む。例えば、第１表面部ＳＦ１のミラー仕上げの粗さＲｚが２００ｎｍであり、第２表面部ＳＦ２のミラー仕上げの粗さＲｚが５００ｎｍである場合がありうる。この場合であっても、第１表面部ＳＦ１及び第２表面部ＳＦ２は、いずれもミラー仕上げであるから、これらの表面仕上げは同じとみなされる。
【０１２６】
［ロフト角（リアルロフト角）］
ロフト角が小さいほど、第１輪郭線ＢＬ１が視認されやすい。この観点から、ロフト角は、ヘッドのロフト角は、３３度以下が好ましく、３２度以下がより好ましく、３１度以下がより好ましく、３０度以下がより好ましく、２９度以下がより好ましい。高い打ち出し角の観点から、ヘッドのロフト角は、１８度以上が好ましく、１９度以上がより好ましく、２０度以上がより好ましく、２１度以上がより好ましい。
【実施例】
【０１２７】
以下、実施例によって本発明の効果が明らかにされるが、この実施例の記載に基づいて本発明が限定的に解釈されるべきではない。
【０１２８】
［実施例１］
公知の方法により、上記ヘッド４と同じヘッドが作製された。先ず、フェースプレート及びヘッド本体が作製された。ヘッド本体は、ロストワックス精密鋳造により作製された。ヘッド本体の材質は、ステンレス鋼とされた。フェースプレートは、圧延材にＮＣ加工を施すことで作製された。フェースプレートの材質は、チタン合金とされた。次に、フェースプレートがヘッド本体の開口に圧入された。次に、表面仕上げがなされた。ヘッド表面の全体にミラー仕上げが施された後、フェース面ｆ１の区域ＳＢ１のみにショットブラスト仕上げが施された。このようにして、実施例１に係るヘッドを得た。このヘッドのロフト角は、２３度であった。このヘッドにシャフト及びグリップを装着して、実施例１に係るクラブ（５番アイアン）を得た。
【０１２９】
［実施例２］
上記ヘッド３０と同じヘッドが作製された（図８参照）。ヘッド表面の全体にミラー仕上げが施された後、上記区域ＳＢ１及び上記第３表面部ＳＦ３にショットブラスト仕上げが施された。その他は実施例１と同様にして、実施例２に係るヘッド及びクラブを得た。実施例２のヘッドの外形は、実施例１のヘッドの外形と同じである。
【０１３０】
［実施例３］
上記ヘッド４０と同じ形状のヘッドが作製された（図９参照）。ヘッド表面の全体にミラー仕上げが施された後、上記区域ＳＢ１のみにショットブラスト仕上げが施された。その他は実施例１と同様にして、実施例３に係るヘッド及びクラブを得た。この実施例３のヘッドと、上記実施例１との相違は、第１輪郭線ＢＬ１の形態のみである。
【０１３１】
［実施例４］
上記ヘッド５０と同じヘッドが作製された（図１１参照）。ヘッド表面の全体にミラー仕上げが施された後、上記区域ＳＢ１のみにショットブラスト仕上げが施された。その他は実施例１と同様にして、実施例４に係るヘッド及びクラブを得た。
【０１３２】
［比較例１］
図１２は、比較例１に係るヘッド６０の平面図である。このヘッド６０と同じヘッドが作製された。ヘッド表面の全体にミラー仕上げが施された後、上記区域ＳＢ１のみにショットブラスト仕上げが施された。その他は実施例１と同様にして、比較例１に係るヘッド及びクラブを得た。この比較例１のヘッドと、上記実施例１との相違は、第１輪郭線ＢＬ１の形態のみである。
【０１３３】
［距離Ｗ１２の測定結果］
上記実施例１から３及び比較例１について、距離Ｗ１２が測定された。トウ−ヒール方向における７つの位置で、距離Ｗ１２が測定された。距離Ｗ１２の測定位置は、以下の通りとされた。
・位置Ａ：フェースセンターＦｃからトウ側に３０ｍｍ隔てた位置
・位置Ｂ：フェースセンターＦｃからトウ側に２０ｍｍ隔てた位置
・位置Ｃ：フェースセンターＦｃからトウ側に１０ｍｍ隔てた位置
・位置Ｄ：フェースセンターＦｃの位置
・位置Ｅ：フェースセンターＦｃからヒール側に１０ｍｍ隔てた位置
・位置Ｆ：フェースセンターＦｃからヒール側に２０ｍｍ隔てた位置
・位置Ｇ：フェースセンターＦｃからヒール側に３０ｍｍ隔てた位置
【０１３４】
なお、上記フェースセンターＦｃとは、上記存在範囲ＧＶ１のトウ−ヒール方向中心位置である。
【０１３５】
実施例１の距離Ｗ１２は、以下の通りであった。位置Ａから位置Ｇまでの間において、距離Ｗ１２の変化量は、５ｍｍ以下であった。位置Ａから位置Ｇまでの間において、距離Ｗ１２は、ヒール側にいくほど小さかった。
・位置Ａ：２．５０ｍｍ
・位置Ｂ：２．４６ｍｍ
・位置Ｃ：２．３４ｍｍ
・位置Ｄ：２．２８ｍｍ
・位置Ｅ：２．２６ｍｍ
・位置Ｆ：２．２０ｍｍ
・位置Ｇ：１．８３ｍｍ
【０１３６】
実施例２の距離Ｗ１２は、以下の通りであった。即ち、実施例２の距離Ｗ１２は、実施例１と同じであった。
・位置Ａ：２．５０ｍｍ
・位置Ｂ：２．４６ｍｍ
・位置Ｃ：２．３４ｍｍ
・位置Ｄ：２．２８ｍｍ
・位置Ｅ：２．２６ｍｍ
・位置Ｆ：２．２０ｍｍ
・位置Ｇ：１．８３ｍｍ
【０１３７】
実施例３の距離Ｗ１２は、以下の通りであった。位置Ａから位置Ｇまでの間において、距離Ｗ１２は、ヒール側にいくほど小さかった。
・位置Ａ：５．５ｍｍ
・位置Ｂ：５．１ｍｍ
・位置Ｃ：４．４ｍｍ
・位置Ｄ：３．７ｍｍ
・位置Ｅ：３．０ｍｍ
・位置Ｆ：２．４ｍｍ
・位置Ｇ：１．６ｍｍ
【０１３８】
実施例４の距離Ｗ１２は、以下の通りであった。距離Ｗ１２が最大値Ｗ１２ｍａｘであるトウ−ヒール方向位置は、位置Ｐｔと位置Ｔ２５との間であった。
・位置Ａ：４．３ｍｍ
・位置Ｂ：４．６ｍｍ
・位置Ｃ：４．０ｍｍ
・位置Ｄ：３．４ｍｍ
・位置Ｅ：２．７ｍｍ
・位置Ｆ：２．０ｍｍ
・位置Ｇ：１．４ｍｍ
【０１３９】
比較例１の距離Ｗ１２は、以下の通りであった。位置Ａから位置Ｇまでの間において、距離Ｗ１２の変化量は、５ｍｍを超えていた。距離Ｗ１２が最大値Ｗ１２ｍａｘであるトウ−ヒール方向位置は、位置Ｔ２５よりもヒール側であった。
・位置Ａ：２．６ｍｍ
・位置Ｂ：４．４ｍｍ
・位置Ｃ：５．９ｍｍ
・位置Ｄ：６．２ｍｍ
・位置Ｅ：５．１ｍｍ
・位置Ｆ：３．５ｍｍ
・位置Ｇ：０．８ｍｍ
【０１４０】
［評価］
ハンディキャップが０以上１０以下である１０名のテスターが、官能テストを行った。フェースセッティングの容易性が、１点から５点までの５段階で評価された。点数が多いほど、評価が高い。１０名の評価点の平均値は、以下の通りであった。
・実施例１：３．７点
・実施例２：４．４点
・実施例３：３．６点
・実施例４：３．６点
・比較例１：２．６点
【０１４１】
以上に示されるように、実施例は、比較例に比べて評価が高い。これらの評価結果から、本発明の優位性は明らかである。
【産業上の利用可能性】
【０１４２】
本発明は、ウッド型ヘッド、ユーティリティ型ヘッド、ハイブリッド型ヘッド、アイアン型ヘッド、パターヘッドなど、あらゆるゴルフクラブヘッドに適用されうる。
【符号の説明】
【０１４３】
２・・・ゴルフクラブ
４・・・ヘッド
６・・・シャフト
８・・・グリップ
１０・・・フェラル
１２・・・ヘッド本体
１４・・・フェース部材（フェースプレート）
２０・・・ホーゼル
ｆ１・・・フェース面
ｓ１・・・ソール面
ｔ１・・・トップ面
ｂ１・・・バック面
ｇｖ・・・フェース溝
ＳＦ１・・・第１表面部
ＳＦ２・・・第２表面部
ＳＦ３・・・第３表面部
ＢＬ１・・・平面視における第１輪郭線
ＢＬ２・・・平面視における第２輪郭線
ＢＬ３・・・平面視における、第２表面部と第３表面部との境界線
ＢＬ４・・・平面視における、フェース面の後方輪郭線（トップ面の前方輪郭線）
ｒｈ１・・・ヒール側凹部
ｒｔ１・・・トウ側凹部
【図１】
0006407625.tif 000002
【図２】
0006407625.tif 000003
【図３】
0006407625.tif 000004
【図４】
0006407625.tif 000005
【図５】
0006407625.tif 000006
【図６】
0006407625.tif 000007
【図７】
0006407625.tif 000008
【図８】
0006407625.tif 000009
【図９】
0006407625.tif 000010
【図１０】
0006407625.tif 000011
【図１１】
0006407625.tif 000012
【図１２】
0006407625.tif 000013